(57)【要約】【課題】扉体を特別な工具を用いて破壊するのに長い時間がかかり防犯上好ましいと共に、デザインの自由度が高い扉体とすることができるドアとする。【解決手段】骨組み枠体１１内に防犯ガラス１２を取付け、その骨組み枠体１１の室外側面に鋼板１３を取付けて剛性の大きい主構造体１０とし、この主構造体１０の室内側面を室内側意匠部２０で覆うと共に、室外側面を室外側意匠部３０で覆って扉体２とし、この扉体２をドア枠１に開閉自在に取付けてドアとすることで、扉体２の剛性が大きく特別な工具を用いて破壊するの長い時間がかかるし、デザインの異なる室内・室外側意匠部２０，３０を主構造体１０に取付けできるからデザインの自由度の高い扉体とすることができる。【選択図】図２
2006249684.tif 000002
【特許請求の範囲】
【請求項１】
ドア枠に扉体を開閉自在に取付けたドアであって、
前記扉体は、扉体の剛性を保持するための主構造体と、この主構造体の室内側面を覆うように取付けた室内側意匠部と、前記主構造体の室外側面を覆うように取付けた室外側意匠部を備え、
前記主構造体は、骨組み枠体に防犯ガラスと鋼板を、その鋼板が防犯ガラスよりも室外側となるようにそれぞれ取付けてあることを特徴とするドア。
【請求項２】
室内側意匠部と鋼板と室外側意匠部に開口部を、相対向してそれぞれ形成して採光部を有する扉体とした請求項１記載のドア。
【請求項３】
室内側意匠部と防犯ガラスとの間、この防犯ガラスと鋼板との間、この鋼板と室外側意匠部との間に断熱材をそれぞれ設けた請求項１記載のドア。
【請求項４】
骨組み枠体は戸先側縦枠材と吊元側縦枠材と上横枠材と下横枠材を方形状に接合したもので、
その骨組み枠体は、四周連続した室内側取付面と、四周連続した室外側取付面と、この室外側取付面よりも面内方向外側で四周連続した意匠部取付面を有する形状で、
前記骨組み枠体の室内側取付面に室内側意匠部を接して取付け、
前記骨組み枠体の室外側取付面に鋼板を接して取付け、
前記骨組み枠体の意匠部取付面に室外側意匠部を接するようにした請求項１記載のドア。
【請求項５】
骨組み枠体は、その意匠部取付面が室外側取付面よりも室外側に突出し、
室外側意匠部は室外側パネルを有し、この室外側パネルが意匠部取付面に接し、その室外側パネルと前記鋼板とが室内外側方向に離隔し、
前記室外側パネルの裏面にブラケットを固着し、このブラケットを鋼板を介在して室外側取付面に固着した請求項４記載のドア。
【発明の詳細な説明】
【技術分野】
【０００１】
本発明は、ドア枠に扉体をヒンジで開閉自在に取付けたドアに関する。
【背景技術】
【０００２】
従来から、ドア枠に扉体をヒンジで開閉自在に取付けたドアは種々提案されている。
このようなドアの扉体としては、特許文献１に開示されたように、框を枠組みし、その表面と裏面にパネルを取付けたフラッシュドアと呼ばれる第１の扉体や、特許文献２に開示されたように、ガラスフレームと芯材の表裏面に鋼板製の表面材をそれぞれ取付けた第２の扉体が知られている。
【０００３】
【特許文献１】実公平２−４８６１８号公報
【特許文献２】特開２００５−４８４８３号公報
【発明の開示】
【発明が解決しようとする課題】
【０００４】
従来からドアには防犯性に優れていることが要求されてるので、ドア枠と扉体に亘って複数の締り金具を取付けて扉体の開閉を拘束したりしている。
しかしながら、前述の第１の扉体は、その扉体自体の強度が弱く、扉体を特殊な工具を用いて短時間に破壊することが可能で、防犯上好ましくない。
また、前述の第２の扉体は、表裏面に鋼板製の表面材が取付けてあるので、前述のように特殊な工具を用いて破壊するのに長い時間がかかり、防犯上好ましいが、その反面、扉体の表裏面が鋼板であるから、見栄が悪いし、デザインの自由度が低い。
【０００５】
本発明の目的は、扉体を破壊するのに時間がかかると共に、扉体のデザインの自由度が高いドアを提供することである。
【課題を解決するための手段】
【０００６】
本発明は、ドア枠に扉体を開閉自在に取付けたドアであって、
前記扉体は、扉体の剛性を保持するための主構造体と、この主構造体の室内側面を覆うように取付けた室内側意匠部と、前記主構造体の室外側面を覆うように取付けた室外側意匠部を備え、
前記主構造体は、骨組み枠体に防犯ガラスと鋼板を、その鋼板が防犯ガラスよりも室外側となるようにそれぞれ取付けてあることを特徴とするドアである。
【０００７】
本発明においては、室内側意匠部と鋼板と室外側意匠部に開口部を、相対向してそれぞれ形成して採光部を有する扉体とすることができる。
【０００８】
このようにすれば、室内側意匠部、鋼板、室外側意匠部に開口部を形成することで採光部とすることができ、採光部を有する扉体を簡単に製作できる。
【０００９】
本発明においては、室内側意匠部と防犯ガラスとの間、この防犯ガラスと鋼板との間、この鋼板と室外側意匠部との間に断熱材をそれぞれ設けることができる。
【００１０】
このようにすれば、室内側意匠部、室外側意匠部を叩いた時の軽い感じのする音の発生を抑制できるし、押した時の変形を抑制でき、しかも扉体の断熱性能を向上できる。
【００１１】
本発明においては、骨組み枠体は戸先側縦枠材と吊元側縦枠材と上横枠材と下横枠材を方形状に接合したもので、
その骨組み枠体は、四周連続した室内側取付面と、四周連続した室外側取付面と、この室外側取付面よりも面内方向外側で四周連続した意匠部取付面を有する形状で、
前記骨組み枠体の室内側取付面に室内側意匠部を接して取付け、
前記骨組み枠体の室外側取付面に鋼板を接して取付け、
前記骨組み枠体の意匠部取付面に室外側意匠部を接するようにすることができる。
【００１２】
このようにすれば、各枠材の接合強度が鋼板で補強されるし、骨組み枠体全体の面内剛性が鋼板で高くなって変形等しなくなるから、主構造体の剛性がより一層大きくなる。
また、鋼板を室外側意匠部で覆うことができる。
【００１３】
本発明においては、前述の骨組み枠体は、その意匠部取付面が室外側取付面よりも室外側に突出し、
室外側意匠部は室外側パネルを有し、この室外側パネルが意匠部取付面に接し、その室外側パネルと前記鋼板とが室内外側方向に離隔し、
前記室外側パネルの裏面にブラケットを固着し、このブラケットを鋼板を介在して室外側取付面に固着することができる。
【００１４】
このようにすれば、室外側パネルをブラケットによって室外側取付面に固着して強固に取付けできる。
また、室外側パネルは意匠部取付面に接しているからブラケットが室外から見えることがなく、外観の見栄えが良い。
【発明の効果】
【００１５】
請求項１に係る発明によれば、骨組み枠体は鋼板で補強されていると共に、防犯ガラスを用いていることにより主構造体の剛性が高いので、扉体を特殊な工具を用いて破壊しようとした場合に、その扉体を破壊するのに時間がかかるから防犯上好ましい。
また、防犯ガラスを用いているし、その防犯ガラスは鋼板で保護されている。
また、扉体の室内側面のデザイン、室外側面のデザインは室内側意匠部、室外側意匠部のデザインで決まると共に、主構造体を共通として種々のデザインの室内側意匠部、室外側意匠部を取付けることで扉体とすることができるので、デザインの自由度が高い扉体である。
【発明を実施するための最良の形態】
【００１６】
図１に示すように、ドア枠１に扉体２をヒンジ３で開閉自在に取付けてドアとしてある。このドア枠１は上枠４と下枠５と戸先側縦枠６と吊元側縦枠７で方形状である。
前記扉体２の戸先側にはハンドル８が取付けてあると共に、この扉体２の戸先側とドア枠１の戸先側縦枠６とに亘って複数の錠９、例えば１つの主錠９ａと４つのカマ錠９ａが取付けてある。
前記扉体２の吊元側とドア枠１の吊元側縦枠７とに亘って前述のヒンジ３が取付けてある。
【００１７】
前記扉体２は図２、図３に示すように、主構造体１０と、この主構造体１０の室内側面を覆うように取付けた室内側意匠部２０と、前記主構造体１０の室外側面を覆うように取付けた室外側意匠部３０を備えている。
前記主構造体１０は、金属製の骨組み枠体１１と、この骨組み枠体１１内に装着した防犯ガラス１２と、前記骨組み枠体１１の室外側面に取付けた鋼板１３を備え、この鋼板１３は骨組み枠体１１の室外側面の全面と防犯ガラス１２の全面を覆っている。
【００１８】
このようであるから、鋼板１３自体の剛性で主構造体１０の剛性が大きく、しかもその鋼板１３が骨組み枠体１１の室外側面に取付けてあることにより骨組み枠体１１の面内剛性が向上し、かつ縦・横の枠材の接合部の接合剛性が高くなることで骨組み枠体１１が面内方向に変形しにくいので、これらが相俟って主構造体１０の剛性を著しく大きくできる。
したがって、扉体２を特殊な工具を用いて破壊するのに長い時間がかかり、防犯上好ましい。
【００１９】
また、鋼板１３は防犯ガラス１２よりも室外側に位置し、室外からの破壊行為に対して鋼板１３で防犯ガラス１２を保護することができる。
また、鋼板１３は骨組み枠体１１の室外側面と防犯ガラス１２を覆っているから、この鋼板１３が主構造体１０の室外側の全面を形成し、室外側意匠部３０を任意の位置で鋼板１３に固着することができる。
【００２０】
扉体２の室内側のデザインは室内側意匠部２０のデザインで決まり、扉体２の室外側のデザインは室外側意匠部３０のデザインで決まると共に、その室内側意匠部２０、室外側意匠部３０のデザインは主構造体１０に制約されずに自由にできる。
したがって、デザインの自由度の高い扉体である。
【００２１】
また、防犯ガラス１２を用いているので、防犯効果に優れ、主構造体１０も一種類で賄え、材料・部品点数の低減、標準化を図れる。
【００２２】
図１に示す扉体２は採光部２ａを有する。このように、採光部２ａを有する扉体２とするには、図２と図３に示すように室内側意匠部２０、鋼板１３、室外側意匠部３０に開口部２０ａ，１３ａ，３０ａを相対向して形成すれば良い。
つまり、骨組み枠体１１内の全域に亘って防犯ガラス１２が取付けてあるので、前述のように室内側意匠部２０、鋼板１３、室外側意匠部３０の任意の位置に、任意の形状の開口部２０ａ，１３ａ，３０ａを相対向して形成することで、その開口部２０ａ，１３ａ，３０ａが防犯ガラス１２を通して連続するから、採光部２ａとすることができる。
なお、採光部２ａを有しない扉体２としても良い。
【００２３】
この実施の形態では、室内側意匠部２０と防犯ガラス１２との間、その防犯ガラス１２と鋼板１３との間、その鋼板１３と室外側意匠部３０との間に断熱材４０がそれぞれ設けてある。この断熱材４０はプレート状の成形体、注入充填、不定形のものを押し込んで設けたものでも良い。
このようであるから、室内側意匠部２０、室外側意匠部３０を叩いた時の軽い感じのする音の発生を抑制できる。なお、室内外側意匠部２０，３０を金属パネルとした場合に、その金属パネルを叩いた時の金属共鳴音の発生を抑制できる。
また、室内外側意匠部２０，３０を押した時の変形を抑制できる。
また、扉体２の断熱性能が向上する。
また、断熱材４０をプレート状の成形体とし、接着せずに設けただけとすれば、扉体２の断熱性能が向上することと相俟って扉体２の熱による反りを抑制することができる。
なお、断熱材４０を設けなくとも良い。
【００２４】
次に、各部材の好ましい実施の形態を説明する。
前記骨組み枠体１１は図２、図３に示すように、戸先側縦枠材５０と吊元側縦枠材５１と上横枠材５２と下横枠材５３を方形状に接合したものである。これらの各枠材はアルミ押出形材である。
前記戸先側縦枠材５０は図４に示すように、中空部５０ａと内向き凹部５０ｂを有する矩形断面中空形状の長尺材で、室内側取付面５０ｃと室外側取付面５０ｄを有すると共に、室外側取付面５０ｄの面内方向外側部に突出板５４が、室外側取付面５０ｄよりも室外側に向けて突出して一体的に備え、この突出板５４は支持片５４ａを有し、その支持片５４ａが意匠部支持面である。
【００２５】
前記吊元側縦枠材５１は図５に示すように、中空部５１ａと内向凹部５１ｂを有する矩形断面中空形状の長尺材で、室内側取付面５１ｃと室外側取付面５１ｄを有すると共に、室外側取付面５１ｄの面内方向外側部が室外側に突出して意匠部支持面５５としてある。
この吊元側縦枠材５１の面内方向の外側面５１ｅ、つまり吊元側縦枠７と対向する面には外向き凹部５６を有し、吊元側縦枠７の内向突出部７ａが外向き凹部５６内に入り込み、扉体２をバール等で無理にこじあけようとした場合に、その外向き凹部５６と内向突出部７ａが干渉しあってこじあけに耐える。
【００２６】
前記上横枠材５２は図６、図７に示すように、下横枠材５３は図８と図９に示すように、中空部５２ａ，５３ａと内向板５２ｂ，５３ｂと押縁取付部５２ｃ，５３ｃを有する矩形断面中空形状の長尺材で、その押縁取付部５２ｃ，５３ｃに押縁５７を取付けることで内向き凹部５２ｄ，５３ｄを形成する。
前記上横枠材５２、下横枠材５３は室内側取付面５２ｅ，５３ｅと室外側取付面５２ｆ，５３ｆを有し、その室外側取付面５２ｆ，５３ｆの面内方向外側部が室外側に突出して意匠部支持面５８としてある。
前記戸先側縦枠材５０の中空部５０ａ、上横枠材５２の中空部５２ａ、下横枠材５３の中空部５３ａには補強鉄骨５９がそれぞれ挿入されてビス止めしてある。
【００２７】
骨組み枠体１１を形成する各枠材は前述の形状であるから、その骨組み枠体１１は、四周連続した室内側取付面と、四周連続した室外側取付面と、この室外側取付面よりも外側で室外側に突出した四周連続した意匠部取付面を有する。
【００２８】
前記防犯ガラス１２は、通常のガラスに比べて人為的に破壊されずらいガラスで、例えば中間膜を介在して２枚のガラスを接着したものである。
この防犯ガラス１２は、骨組み枠体１１を方形状に接合した後に、各縦枠材の内向き凹部５０ｂ，５１ｂ内に挿入し、上下横枠材５２，５３に押縁５７を取付けて各内向き凹部５０ｂ，５１ｂ，５２ｄ，５３ｄにガスケット６０を介して支持する。
前記各内向き凹部５０ｂ，５１ｂ，５２ｄ，５３ｄにはガラス周り補強鉄骨６１がそれぞれ設けられてビス止めしてある。これによって、骨組み枠体１１の防犯ガラス１２の周囲を補強している。
【００２９】
前記室内側意匠部２０は、室内側パネル２１を備え、この室内側パネル２１を各枠材の室内側取付面５０ｃ，５１ｃ，５２ｅ，５３ｅに接して取付ける。
例えば、図４、図５と図６、図８に示すように室内側パネル２１の裏面の左右縦縁寄りと上下横縁寄りに取付片２２をそれぞれ固着し、この各取付片２２を各枠材の切欠部２３を通して中空部５０ａ，５１ａ，５２ａ，５３ａ内に突出し、各枠材にビスで固着してある。
前述のようにして室内側パネル２１を取付けると、取付片２２が室内側取付面５０ｃ，５１ｃ，５２ｅ，５３ｅと干渉するので、図５、図６に示すように各縦枠材５０，５１の室内側取付面５０ｃ，５１ｃに凹陥部２４を形成し、その凹陥部２４に取付片２２の基部が位置し、先部が切欠部２３から中空部５０ａ，５１ａに突出するようにしてある。
また、上下横枠材５２，５３には取付片２２全体が嵌まり込む大きさの切欠部２３を形成してある。
【００３０】
前述の室内側パネル２１は、図１に示す後述する室外側パネル３１と同様に複数のパネルを備え、その複数のパネルを図７、図９に示すように、裏板２５を介して継ぎ合せた形状で、隣接したパネル間に目地部２６を有している。
そして、採光部２ａを形成する場合には目地部２６を幅広くして裏板２５で継ぎ合せないようにし、その各パネルの裏面に図４、図６、図８に示すようにガラス押え２７を固着して取付け、このガラス押え２７に装着したガスケット２８を防犯ガラス１２の室内側面に押しつけてある。
なお、図２に示すように室内側パネル２１の裏面には補強材２９が固着してある。
【００３１】
前記室内側パネル２１と防犯ガラス１２と骨組み枠体１１の室内側内周面とで図２に示すように、空間部４１を形成し、この空間部４１に前述の断熱材４０が設けてある。
【００３２】
前記鋼板１３は図４〜図９に示すように、骨組み枠体１１の四周連続した室外側取付面５０ｄ，５１ｄ，５２ｆ，５３ｆに接してビス４２で固着して取付けてある。この鋼板１３の周囲は鉤形に折り曲げてあり、その折り曲げた部分が突出板５４、室外側取付面と意匠部取付面との段差部と対向し、鋼板１３が外れにくいようにしてある。
このように、鋼板１３が戸先側縦枠材５０、吊元側縦枠材５１、上下横枠材５２，５３の室外側取付面５０ｄ，５１ｄ，５２ｆ，５３ｆに亘ってビス４２で固着されるから、前述の各枠材の接合強度が鋼板１３によって向上する。
【００３３】
この鋼板１３と防犯ガラス１２の室外側面と骨組み枠体１１の室外側内周面とで空間部４３を形成し、この空間部４３に前述の断熱材４０が設けてある。
なお、図示は省略するが、鉤形状の押え片の一片を鋼板１３のスリット状穴、各縦枠材５０，５１の室外側取付面５０ｄ，５１ｄに形成したスリット状の穴を通して中空部５０ａ，５１ａに突出し、その押え片の一片をビスで固着して取付けることで、その押え片の他片の鋼板１３を押しつけ保持して外れにくいようにしてある。
【００３４】
前記室外側意匠部３０は、室外側パネル３１を備え、この室外側パネル３１を骨組み枠体１１の四周連続した意匠部取付面５４ａ，５５，５８に接し、鋼板１３と骨組み枠体１１の四周連続した室外側取付面５０ｄ，５１ｄ，５２ｆ，５３ｆに固着して取付ける。
例えば、図４、図５に示すように室外側パネル３１の裏面にブラケット３２を固着して取付け、このブラケット３２を鋼板１３に接し、その鋼板１３にビス３３で固着すると共に、骨組み枠体１１の室外側取付面にビス３３で固着する。この室外側取付面に固着するビス３３は各枠材の中空部内からブラケット３２に螺合するので、各枠材の中空部の室内側部分に透孔を形成し、その透孔からビス３３を螺合する。
【００３５】
前記室外側パネル３１の裏面と鋼板１３との間に空間部４４を形成し、この空間部４４に前述の断熱材４０を設ける。
【００３６】
前述の室外側パネル３１も室内側パネル２１と同様に図１に示すように、複数のパネルを備え、その複数のパネルを図７、図９に示すように裏板３４を介して継ぎ合せた形状で、隣接したパネル間に目地部３５を有している。
そして、採光部２ａを形成する場合には目地部３５を幅広くして裏板３４で継ぎ合せないようにし、その各パネルの裏面に図４、図６、図８に示すようにガラス押え３６を取付け、このガラス押え３６に装着したガスケット３７を防犯ガラス１２の室外側面に押しつけてある。
【００３７】
前記上枠４、下枠５、戸先側縦枠６、吊元側縦枠７は室内側中空部４ｂ，５ｂ，６ｂ，７ｂと室外側中空部４ｃ，５ｃ，６ｃ，７ｃを有する形状で、その各室内側中空部４ｂ，５ｂ，６ｂ，７ｂより固着具を建物躯体側に固着してドア枠１を取付けてある。
このようであるから、室外から固着具を破壊しようとした場合に、室外側中空部があるので破壊しずらい。つまり、室外側中空部が破壊抵抗性を向上させている。
【００３８】
前述した実施の形態では、骨組み枠体１１と鋼板１３がビスで固着され、その骨組み枠体１１と室内側パネル２１、室外側パネル３１がそれぞれビスで固着されているので、簡単に分解することができ、リサイクル、分離回収が可能である。
【００３９】
前述の室内側パネル２１、室外側パネル３１はアルミ板であるが、スチールパネル、鋳物製パネル、木製パネル、石パネルなど、及びそれらの組み合わせであっても良い。
【図面の簡単な説明】
【００４０】
【図１】ドアの外観図である。
【図２】ドアの横断面図である。
【図３】ドアの縦断面図である。
【図４】図１のＡ−Ａ拡大断面図である。
【図５】図１のＢ−Ｂ拡大断面図である。
【図６】図１のＣ−Ｃ拡大断面図である。
【図７】図１のＤ−Ｄ拡大断面図である。
【図８】図１のＥ−Ｅ拡大断面図である。
【図９】図１のＦ−Ｆ拡大断面図である。
【符号の説明】
【００４１】
１…ドア枠、２…扉体、２ａ…採光部、１０…主構造体、１１…骨組み枠体、１２…防犯ガラス、１３…鋼板、１３ａ…開口部、２０…室内側意匠部、２０ａ…開口部、２１…室内側パネル、３０…室外側意匠部、３０ａ…開口部、３１…室外側パネル、３２…ブラケット、３３…ビス、４０…断熱材、５０…戸先側縦枠材、５０ｃ…室内側取付面、５０ｄ…室外側取付面、５１…吊元側縦枠材、５１ｃ…室内側取付面、５１ｄ…室外側取付面、５２…上横枠材、５２ｅ…室内側取付面、５２ｆ…室外側取付面、５３…下横枠材、５３ｅ…室内側取付面、５３ｆ…室外側取付面、５４ａ…支持片（意匠部取付面）、５５…意匠部取付面、５８…意匠部取付面。
【図１】
2006249684.tif 000003
【図２】
2006249684.tif 000004
【図３】
2006249684.tif 000005
【図４】
2006249684.tif 000006
【図５】
2006249684.tif 000007
【図６】
2006249684.tif 000008
【図７】
2006249684.tif 000009
【図８】
2006249684.tif 000010
【図９】
2006249684.tif 000011